(57)【要約】      （修正有）【課題】異物が意図しない方に飛散することを防止できるガード部材を提供する。【解決手段】切断刃４を備える刈払機Ａ１に用いるガード部材７であって、異物飛散防止部７３を含み、異物飛散防止部７３は切断刃４に対し、切断刃４の回転軸線Ｏｘの径方向外方Ｄｒ１に位置する部位を備え、切断刃によって飛散させられた異物が衝突したときに、異物からの衝撃を吸収し、下端が揺動可能となるように構成する。また、ガード部材７はカバー部７１を含み、カバー部７１は切断刃４をはさんで刈払面とは反対側に位置して、平面視において切断刃４と重なっている位置に配置する。【選択図】図２
2015221016.tif 000002
【特許請求の範囲】
【請求項１】
切断刃を備える刈払機に用いるガード部材であって、
異物飛散防止部を含み、前記異物飛散防止部は、前記切断刃に対し、前記切断刃の回転軸線の径方向外方に位置する部位を有する、ガード部材。
【請求項２】
前記異物飛散防止部は、前記切断刃によって飛散させられた異物が衝突したときに、前記異物からの衝撃を吸収する、請求項１に記載のガード部材。
【請求項３】
前記異物飛散防止部は、下端が揺動可能となるように構成されている、請求項１または請求項２に記載のガード部材。
【請求項４】
前記異物飛散防止部の上端は、前記切断刃よりも、前記回転軸線の延びる方向のうちの一方である第１方向側に位置し、
前記異物飛散防止部の下端は、前記切断刃よりも、前記第１方向とは反対の第２方向側に位置している、請求項１ないし請求項３のいずれかに記載のガード部材。
【請求項５】
前記ガード部材は、カバー部を含み、
前記カバー部は、前記切断刃をはさんで刈払面とは反対側に位置しており、且つ、平面視において、前記切断刃と重なっている、請求項１ないし請求項４のいずれかに記載のガード部材。
【請求項６】
前記異物飛散防止部は、前記カバー部に取り付けられており、且つ、前記カバー部から前記刈払面に向かって垂れている、請求項５に記載のガード部材。
【請求項７】
前記カバー部は、前記カバー部をはさんで前記切断刃とは反対側から、前記切断刃を視認できる材料よりなる、請求項５または請求項６に記載のガード部材。
【請求項８】
前記材料は、透明あるいは半透明である、請求項７に記載のガード部材。
【請求項９】
前記カバー部には、操作管を挿通させる穴が形成されている、請求項５ないし請求項８のいずれかに記載のガード部材。
【請求項１０】
前記カバー部は、主部分を有し、
前記主部分には、前記回転軸線の径方向外方から前記回転軸線に向かって凹む切り欠きが形成されており、
前記切り欠きの一部は、平面視において、前記切断刃による刈払領域に重なっている、請求項５ないし請求項９のいずれかに記載のガード部材。
【請求項１１】
前記カバー部は、前記主部分に着脱可能に取り付けられた副部分を有し、
前記副部分は、平面視において、前記切り欠きに重なる部位を有する、請求項１０に記載のガード部材。
【請求項１２】
前記異物飛散防止部は、前記主部分および前記副部分のうち、前記主部分のみに設けられている、請求項１１に記載のガード部材。
【請求項１３】
前記異物飛散防止部は、チェーン、紐、ネット、布、あるいは、ビニール膜の少なくともいずれかよりなる、請求項１ないし請求項１２のいずれかに記載のガード部材。
【請求項１４】
前記切断刃は、金属よりなる回転刃、あるいは、ナイロンコードである、請求項１ないし請求項１３のいずれかに記載のガード部材。
【請求項１５】
請求項１ないし請求項１４のいずれかに記載のガード部材と、
前記ガード部材が固定された操作管と、
前記操作管の先端に支持された切断刃と、
前記切断刃を回転させる駆動源と、を備える、刈払機。
【発明の詳細な説明】
【技術分野】
【０００１】
本発明は、ガード部材と、刈払機と、に関する。
【背景技術】
【０００２】
従来から、田畑の土手等に生息する雑草を除去するための器具として、刈払機が知られている。刈払機は、エンジンによって発生させられる回転動力を操作管の先端に支持させた回転刃に伝えるように構成されている。作業者はスロットルレバーによってエンジンないしこれによって回転させられる回転刃の回転を制御しつつ、操作管を振り回して所望の刈り払い作業を行う。このような刈払機による刈払作業を行う際には、異物（雑草中の小石等）が回転刃によって、意図しない方へと飛散させられるおそれがある。刈払機は、たとえば、特許文献１、２に開示されている。
【先行技術文献】
【特許文献】
【０００３】
【特許文献１】特開２００３−２５９７１３号公報
【特許文献２】特開２０１０−１７８７５１号公報
【発明の概要】
【発明が解決しようとする課題】
【０００４】
本発明は、上記した事情のもとで考え出されたものであって、異物が意図しない方に飛散することを防止できるガード部材を提供することをその主たる課題とする。
【課題を解決するための手段】
【０００５】
本発明の第１の側面によると、切断刃を備える刈払機に用いるガード部材であって、異物飛散防止部を含み、前記異物飛散防止部は、前記切断刃に対し、前記切断刃の回転軸線の径方向外方に位置する部位を有する、ガード部材が提供される。
【０００６】
好ましくは、前記異物飛散防止部は、前記切断刃によって飛散させられた異物が衝突したときに、前記異物からの衝撃を吸収する。
【０００７】
好ましくは、前記異物飛散防止部は、下端が揺動可能となるように構成されている。
【０００８】
好ましくは、前記異物飛散防止部の上端は、前記切断刃よりも、前記回転軸線の延びる方向のうちの一方である第１方向側に位置し、前記異物飛散防止部の下端は、前記切断刃よりも、前記第１方向とは反対の第２方向側に位置している。
【０００９】
好ましくは、前記ガード部材は、カバー部を含み、前記カバー部は、前記切断刃をはさんで刈払面とは反対側に位置しており、且つ、平面視において、前記切断刃と重なっている。
【００１０】
好ましくは、前記異物飛散防止部は、前記カバー部に取り付けられており、且つ、前記カバー部から前記刈払面に向かって垂れている。
【００１１】
好ましくは、前記カバー部は、前記カバー部をはさんで前記切断刃とは反対側から、前記切断刃を視認できる材料よりなる。
【００１２】
好ましくは、前記材料は、透明あるいは半透明である。
【００１３】
好ましくは、前記カバー部には、操作管を挿通させる穴が形成されている。
【００１４】
好ましくは、前記カバー部は、主部分を有し、前記主部分には、前記回転軸線の径方向外方から前記回転軸線に向かって凹む切り欠きが形成されており、前記切り欠きの一部は、平面視において、前記切断刃による刈払領域に重なっている。
【００１５】
好ましくは、前記カバー部は、前記主部分に着脱可能に取り付けられた副部分を有し、前記副部分は、平面視において、前記切り欠きに重なる部位を有する。
【００１６】
好ましくは、前記異物飛散防止部は、前記主部分および前記副部分のうち、前記主部分のみに設けられている。
【００１７】
好ましくは、前記異物飛散防止部は、チェーン、紐、ネット、布、あるいは、ビニール膜の少なくともいずれかよりなる。
【００１８】
好ましくは、前記切断刃は、金属よりなる回転刃、あるいは、ナイロンコードである。
【００１９】
本発明の第２の側面によると、本発明の第１の側面によって提供されるガード部材と、前記ガード部材が固定された操作管と、前記操作管の先端に支持された切断刃と、前記切断刃を回転させる駆動源と、を備える、刈払機が提供される。
【００２０】
本発明のその他の特徴および利点は、添付図面を参照して以下に行う詳細な説明によって、より明らかとなろう。
【図面の簡単な説明】
【００２１】
【図１】本発明の第１実施形態の刈払機を模式的に示す斜視図である。
【図２】図１に示した刈払機の先端を拡大して示す部分拡大図である。
【図３】図２に示した刈払機におけるガード部材を示す平面図である。
【図４】カバー部における主部分から副部分を取り外した状態を示す平面図である。
【図５】（ａ）は、本発明の第２実施形態の刈払機（ガード部材は省略）の一部を示す斜視図であり、（ｂ）は、（ａ）に示した刈払機の使用時の状態を示す平面図である。
【図６】本発明の第２実施形態の刈払機におけるガード部材を示す平面図である。
【発明を実施するための形態】
【００２２】
以下、本発明の実施の形態につき、図面を参照して具体的に説明する。
【００２３】
＜第１実施形態＞
図１〜図４を用いて、本発明の第１実施形態について説明する。
【００２４】
図１は、本発明の第１実施形態の刈払機を模式的に示す斜視図である。
【００２５】
これらの図に示す刈払機Ａ１は、田畑の土手等に生育する雑草を除去するためのものである。刈払機Ａ１は、操作管１と、駆動源２と、支持部材３と、切断刃４と、ガード部材７と、を備える。
【００２６】
操作管１は、たとえば、アルミニウム等の軽量金属よりなる。操作管１は、一方向に延びる筒状を呈している。操作管１内には伝動軸が収容されている。
【００２７】
駆動源２は、操作管１の基端部に、たとえばクラッチハウジング（図示略）を介して連結されている。図示しないスロットルレバーを作業者が操作することによって、駆動源２の回転数が上昇する。駆動源２の回転出力は、たとえばクラッチドラム（図示略）を経由して伝動軸に伝達し、伝動軸が回転する。これにより、操作管１の先端の切断刃４が回転させられる。
【００２８】
支持部材３は操作管１の先端部に設けられている。支持部材３にはベベルギア機構が内装されている。操作管１の軸線方向に対して角度が与えられて回転刃支持軸が支持されている。この回転刃支持軸には切断刃４が取付けられている。
【００２９】
切断刃４は、操作管１の先端に支持されている。本実施形態では、上述のように、支持部材３等を介して、操作管１の先端に支持されている。切断刃４は、金属よりなる回転刃である。具体的には、切断刃４は、たとえば、金属円板の外周に鋸刃を直接形成したもの、あるいは超鋼チップ刃を取付けたものなどが好適に用いられる。本実施形態では、切断刃４は反時計回りに回転するが、本実施形態とは異なり、時計回りに回転してもよい。
【００３０】
ガード部材７は、回転している切断刃４によって飛散させられた異物が、切断刃４の回転軸線Ｏｘの径方向外方Ｄｒ１に飛散することを防止するためのものである。ガード部材７は操作管１に固定されている。ガード部材７を操作管１に固定する方法は、どのようなものであってもよい。本実施形態では、ガード部材７と操作管１とはＵ字ボルト８１３等を用いて固定されている。
【００３１】
図２は、図１に示した刈払機の先端を拡大して示す部分拡大図である。図３は、図２に示した刈払機におけるガード部材を示す平面図である。
【００３２】
ガード部材７は、カバー部７１と、異物飛散防止部７３と、枠部７５と、を含む。
【００３３】
カバー部７１は、切断刃４をはさんで刈払面Ｓ１（図２参照）とは反対側に位置している。刈払面Ｓ１は、たとえば、雑草が生えている地面である。図３に示すように、カバー部７１は、平面視において、切断刃４と重なっている。カバー部７１は、切断刃４から離間している。カバー部７１と切断刃４との離間距離は、適宜変更可能である。本実施形態では、カバー部７１は円盤状である。本実施形態とは異なり、カバー部７１の形状は円盤状に限定されず、矩形状やその他の形状であってもよい。また、カバー部７１の大きさもどのようなサイズであってもよい。カバー部７１は、カバー部７１をはさんで切断刃４とは反対側から、切断刃４を視認できる材料よりなる。カバー部７１を構成する材料は、透明あるいは半透明である。このような材料としては、たとえば、樹脂が挙げられ、このような樹脂としては、たとえばアクリルやナイロンが挙げられる。カバー部７１を構成する材料は、アクリルおよびナイロンの複合素材であってもよい。本実施形態とは異なり、カバー部７１を構成する材料が透明や半透明でなくてもよい。たとえば、カバー部７１を構成する材料が、金属であってもよい。カバー部７１には、操作管１を挿通させる穴７１Ｂが形成されている。
【００３４】
カバー部７１は、主部分７１１および副部分７１３を含む。
【００３５】
主部分７１１は、カバー部７１のうち、大部分を占める部分である。主部分７１１には切り欠き７１Ａが形成されている。切り欠き７１Ａは、回転軸線Ｏｘの径方向外方Ｄｒ１から回転軸線Ｏｘに向かって凹んでいる。切り欠き７１Ａの一部は、平面視において、切断刃４による刈払領域４Ｒ（図３参照）に重なっている。刈払領域４Ｒは、切断刃４が草木を刈り払い可能な領域であり、回転している切断刃４の占める領域に一致する。
【００３６】
副部分７１３は、主部分７１１に着脱可能に取り付けられている。本実施形態では、副部分７１３は、ねじ、あるいは、ボルト（およびナット）によって、主部分７１１に着脱可能である。副部分７１３は、平面視において、切り欠き７１Ａに重なる部位を有している。
【００３７】
本実施形態では、カバー部７１が主部分７１１および副部分７１３の２部品よりなるが、本実施形態とは異なり、カバー部７１が１部品よりなっていてもよい。
【００３８】
異物飛散防止部７３は、回転している切断刃４によって飛散させられた異物が、切断刃４の回転軸線Ｏｘの径方向外方Ｄｒ１に飛散することを防止するためのものである。本実施形態では、異物飛散防止部７３はカバー部７１に取り付けられている。異物飛散防止部７３は、カバー部７１から刈払面Ｓ１に向かって垂れている。異物飛散防止部７３は、切断刃４に対し、切断刃４の回転軸線Ｏｘの径方向外方Ｄｒ１に位置する部位を有する。異物飛散防止部７３の上端７３１は、切断刃４よりも、回転軸線Ｏｘの延びる方向のうちの一方である第１方向Ｘ１側に位置する。これに対し、異物飛散防止部７３の下端７３２は、切断刃４よりも、第１方向Ｘ１とは反対の第２方向Ｘ２側に位置している。異物飛散防止部７３は、主部分７１１および副部分７１３のうち、主部分７１１のみに設けられている。
【００３９】
本実施形態では、異物飛散防止部７３は、チェーンよりなる。異物飛散防止部７３は、複数（本実施形態では４つ）の輪状の部品が連結されることにより構成されたチェーンが複数、カバー部７１の周方向に沿って、カバー部７１に連結されている。異物飛散防止部７３は、下端７３２が揺動可能となるように構成されている。本実施形態では異物飛散防止部７３が、互いに連結された複数のチェーンよりなるため、下端７３２が揺動する際、異物飛散防止部７３は撓曲する。そのため、異物飛散防止部７３は、切断刃４によって飛散させられた異物が衝突したときに、異物からの衝撃を吸収する。異物飛散防止部７３はチェーンよりなることには限定されず、たとえば、紐、ネット、布、あるいは、ビニール膜よりなっていてもよい。
【００４０】
本実施形態では、異物飛散防止部７３はカバー部７１の周方向の一部に配置されている。本実施形態とは異なり、異物飛散防止部７３はカバー部７１の全周にわたって配置されていてもよい。
【００４１】
なお、背の高い草を刈るには、本実施形態の金属製の切断刃４を用いることが多い。このような場合には、副部分７１３を主部分７１１から取り外した状態（図４参照）で、刈払機Ａ１を用いることが好ましい。そして、切り欠き７１Ａに背の高い草を侵入させることにより、切断刃４によって、好適に草を刈ることができる。
【００４２】
枠部７５は、たとえば金属よりなる部材である。枠部７５は、カバー部７１の形状を保持する機能を果たしており、ガード部材７が枠部７５を含んでいなくても良い。
【００４３】
次に、本実施形態の作用効果について説明する。
【００４４】
本実施形態においては、刈払機Ａ１は、ガード部材７を備える。ガード部材７は異物飛散防止部７３を含む。異物飛散防止部７３は、切断刃４に対し、切断刃４の回転軸線Ｏｘの径方向外方Ｄｒ１に位置する部位を有する。このような構成によると、切断刃４によって径方向外方Ｄｒ１側に向かって飛散させられた異物は、異物飛散防止部７３に衝突する。これにより、異物飛散防止部７３よりも径方向外方Ｄｒ１側に異物が意図しない方に飛散することを、防止できる。
【００４５】
本実施形態においては、異物飛散防止部７３は、切断刃４によって飛散させられた異物が衝突したときに、異物からの衝撃を吸収する。このような構成によると、異物飛散防止部７３に衝突した異物が跳ね返り、切断刃４に向かうことを防止できる。これにより、異物飛散防止部７３に衝突した異物が、切断刃４によって再び径方向外方Ｄｒ１側に飛散させられることを防止できる。
【００４６】
本実施形態においては、異物飛散防止部７３の上端７３１は、切断刃４よりも、回転軸線Ｏｘの延びる方向のうちの一方である第１方向Ｘ１側に位置する。異物飛散防止部７３の下端７３２は、切断刃４よりも、第１方向Ｘ１とは反対の第２方向Ｘ２側に位置している。このような構成によると、より効果的に、異物飛散防止部７３よりも径方向外方Ｄｒ１側に異物が意図しない方に飛散することを、防止できる。
【００４７】
本実施形態においては、ガード部材７は、カバー部７１を含む。カバー部７１は、切断刃４をはさんで刈払面Ｓ１とは反対側に位置しており、且つ、平面視において、切断刃４と重なっている。このような構成によると、切断刃４によって刈払面Ｓ１とは反対側に飛散してきた異物は、カバー部７１に衝突する。これにより、刈払面Ｓ１とは反対側に異物が意図しない方に飛散することを防止できる。
【００４８】
本実施形態においては、カバー部７１は、カバー部７１をはさんで切断刃４とは反対側から、切断刃４を視認できる材料よりなる。このような構成によると、刈払機Ａ１の使用の際に、切断刃４が草木を刈っている箇所を、作業者が目視することができる。このことは、作業者の作業効率の向上に資する。
【００４９】
＜第２実施形態＞
図５、図６を用いて、本発明の第２実施形態について説明する。
【００５０】
なお、以下の説明では、上記と同一または類似の構成については上記と同一の符号を付し、説明を適宜省略する。
【００５１】
図５（ａ）は、本発明の第２実施形態の刈払機（ガード部材は省略）の一部を示す斜視図であり、同図（ｂ）は、（ａ）に示した刈払機の使用時の状態を示す平面図である。図６は、本発明の第２実施形態の刈払機におけるガード部材を示す平面図である。
【００５２】
これらの図に示す刈払機Ａ２は、操作管１と、駆動源２と、支持部材３と、切断刃５と、保護部材６と、ガード部材７と、を備える。
【００５３】
切断刃５と保護部材６とを除き、本実施形態における、操作管１と、駆動源２と、支持部材３と、ガード部材７と、の各構成は、第１実施形態における構成とほぼ同様であるから、説明を省略する。
【００５４】
本実施形態では、切断刃５は２本のナイロンコード切断刃である。２本の切断刃５は、それぞれ径方向外方Ｄｒ１に延出するように設けられている。切断刃５の直径は、たとえば３ｍｍ程度である。切断刃５の本数は変更可能であり、１本もしくは３本以上の切断刃５を備える構成としてもよい。本実施形態においても、切り欠き７１Ａの一部は、平面視において、切断刃５による刈払領域５Ｒ（図５（ｂ）、図６参照）に重なっている。刈払領域５Ｒは、切断刃５が草木を刈り払い可能な領域であり、回転している切断刃５の占める領域に一致する。
【００５５】
保護部材６は、アルミニウム製の板により形成され、略ドーナツ形状である。この保護部材６と支持部材３とは取り外し可能な構造となっている。保護部材６の直径は、たとえば２５０ｍｍ程度とされる。刈払作業の際、保護部材６は、たとえば雑草の上に載せられる。
【００５６】
なお、背の低い草を刈る場合に、本実施形態のナイロンコードの切断刃５を用いることが多い。このような場合には、副部分７１３を主部分７１１に取りつけた状態で、刈払機Ａ２を用いることが好ましい。そして、切断刃５によって、切り欠き７１Ａと重なる位置にて草を刈るとよい。
【００５７】
本実施形態においては、上述の実施形態で述べた作用効果に加え、以下の作用効果も奏する。
【００５８】
本実施形態においては、異物飛散防止部７３は、主部分７１１および副部分７１３のうち、主部分７１１のみに設けられている。このような構成によると、切り欠き７１Ａと重なる位置にて切断刃５が草を刈る場合に、草が切り欠き７１Ａと重なるように刈払機Ａ２を移動させる際、異物飛散防止部７３が草と干渉しにくい。これにより、刈払機Ａ２を好適に取り回すことができる。
【００５９】
本発明は、上述した実施形態に限定されるものではない。本発明の各部の具体的な構成は、種々に設計変更自在である。
【符号の説明】
【００６０】
１  操作管
２  駆動源
３  支持部材
４  切断刃
４Ｒ  刈払領域
５  切断刃
５Ｒ  刈払領域
６  保護部材
７  ガード部材
７１  カバー部
７１１  主部分
７１３  副部分
７１Ａ  切り欠き
７１Ｂ  穴
７３  異物飛散防止部
７３１  上端
７３２  下端
７５  枠部
８１３  Ｕ字ボルト
Ａ１，Ａ２  刈払機
Ｄｒ１  径方向外方
Ｏｘ  回転軸線
Ｓ１  刈払面
Ｘ１  第１方向
Ｘ２  第２方向
【図１】
2015221016.tif 000003
【図２】
2015221016.tif 000004
【図３】
2015221016.tif 000005
【図４】
2015221016.tif 000006
【図５】
2015221016.tif 000007
【図６】
2015221016.tif 000008